(57)【要約】      （修正有）【課題】温度スケールの種類の変換に対する機械的セレクタを有する体温計を提供する。【解決手段】体温計は、本体部材、及び本体部材に固定される先端部材によって構成される。温度センサは、先端部材の内側に取り付けられ、温度を検知して温度信号を作り出す。一式のリードワイヤは、温度信号を伝達するよう温度センサに結合される。ディスプレイユニットは温度部材に位置され、プロセッサは、温度信号を受信するよう一式のリードワイヤを電気的に接続し、対応する計測温度を表示するようディスプレイユニットを駆動させる。後方カバーは、本体部材に対して固定される。機械的セレクタは、プロセッサと後方カバーとの間に配置され、ディスプレイユニットに表示される温度スケールの種類は、機械的セレクタを後方カバーから押すことによって選択される。【選択図】図３
0003167979.tif 000002
【実用新案登録請求の範囲】
【請求項１】
体温計であって、
本体部材と、
該本体部材に対して固定される先端部材と、
温度を検知して温度信号を作り出すよう適合された、前記先端部材の内側において取り付けられる温度センサと、
前記温度信号を伝達するよう前記温度センサに対して結合される一式のリードワイヤと、
前記本体部材において配置されるディスプレイユニットと、
前記温度信号を受信するために前記一式のリードワイヤを電気的に接続し、対応する計測温度を表示するよう前記ディスプレイユニットを駆動させるプロセッサと、
前記本体部材に対して固定される後方カバーと、
前記プロセッサと前記後方カバーとの間において配置される機械的セレクタと、
を有し、
前記ディスプレイユニットにおいて表示される温度スケールの種類は、前記機械的セレクタを前記後方カバーから押すことによって選択される、
体温計。
【請求項２】
前記本体部材において配置される管状シリンダと、
該管状シリンダ内において自由に摺動する磁気コアと、
前記管状シリンダの周囲に巻き付けられるワイヤコイルと、
該ワイヤコイルに対して電気的に接続されるキャパシタと、
を更に有し、
前記磁気コアは、前記ワイヤコイルが前記管状シリンダの周囲に巻き付けられるため、前記管状シリンダを通って一端から他端まで摺動するときに前記ワイヤコイルを通って動き、
前記プロセッサは、電力を得るよう前記キャパシタに対して電気的に接続される、
請求項１記載の体温計。
【請求項３】
基板を更に有し、
前記ディスプレイユニット、前記プロセッサ、及び前記キャパシタは、該基板において配置される、
請求項２記載の体温計。
【請求項４】
化学電池、電源スイッチ、又はスイッチボタンを有さない、
請求項３記載の体温計。
【請求項５】
前記キャパシタはチップキャパシタを有する、
請求項４記載の体温計。
【請求項６】
前記管状シリンダの一端又は両端において取り付けられるヘリカルスプリングを更に有する、
請求項２記載の体温計。
【請求項７】
前記キャパシタは、当該体温計を前後に動かすことによって電気的エネルギを蓄え、
前記プロセッサは、前記キャパシタの電圧の変化を検出するよう作動される一方、前記キャパシタ電圧は、所定の開始電圧と同等であるか、あるいはそれより高い、
請求項５記載の体温計。
【請求項８】
前記プロセッサは、当該体温計が充電動作を行なっていることを示す開始信号を表示するために前記ディスプレイユニットを駆動させるよう作動される、
請求項７記載の体温計。
【請求項９】
前記プロセッサは、体温測定動作を開始し、当該体温計が体温測定動作を行なっていることを示す動作信号を表示するために前記ディスプレイユニットを駆動させる一方、前記キャパシタ電圧は、少なくとも一周期の前記体温測定動作を行なうよう十分である動作電圧まで高められる、
請求項８記載の体温計。
【請求項１０】
前記プロセッサは、温度スケールの種類の変換に対するピンを有し、
前記機械的セレクタは、
前記後方カバーの表面において位置決めされて形成されるホールと、
前記後方カバー内において配置されて前記ホールと連通するチャネルと、
主要部、該主要部から前記チャネルに向かって延在する第１の突出部、前記主要部から前記プロセッサに向かって延在する第２の突出部を有する、弾性部材と、
電圧を維持するために前記ピンを電気的に接続するよう配置される接続線と、
を有し、
前記ピンの電圧は、前記ホール及び前記後方カバー内における前記チャネルから前記第１の突出部を押すことによって温度スケールの種類を変換するよう変化されるため、前記第２の突出部は接続線を切断するよう動かされる、
請求項１記載の体温計。
【請求項１１】
前記弾性部材の前記主要部は、当該体温計の前記本体部材における一部に対して固定され、
前記弾性部材の前記主要部の変形は、前記第１の突出部が加えられる力を受けるときに発生し、
該変形は、前記加えられる力が除去されるときに前記弾性部材の前記主要部から戻る力によって戻され、それによって前記第１の突出部は前記チャネルを密封するよう動かされる、
請求項１０記載の体温計。
【請求項１２】
前記接続線は、所定の電圧を電気的に接続するよう配置される端部を有する、
請求項１０記載の体温計。
【請求項１３】
上方に前記プロセッサを配置される基板を更に有し、
前記接続線は該基板に対して固定される、
請求項１０記載の体温計。
【請求項１４】
前記弾性部材の前記主要部は、前記基板の一部、ベースプレート、前記プロセッサ、又は前記後方カバーの位置に対して固定される、
請求項１３記載の体温計。
【考案の詳細な説明】
【技術分野】
【０００１】
本考案は、体温計の分野に係り、より特には温度スケールの種類の変換に対する機械的セレクタ（mechanical  selector）を有する体温計の分野に係る。
【背景技術】
【０００２】
電子体温計は一般的に、医療（ヘルスケア）分野において使用される従来のガラスと水銀の体温計と比べて多くの利点を与える。電子体温計の利点には、廃棄可能なカバーの使用によって可能となる、ガラス体温計に対する消毒処置が排除されること、体温計が落とされた場合にガラスが割れる可能性が排除されること、計測温度エラーを排除するようデジタル温度表示を有すること、及び、適切な回路設計及び較正を有して、容易に得られる十分の１華氏度の正確な測定及び表示により更に高い精度及び解像度（resolution）が可能であること、が挙げられる。
【０００３】
かかる電子体温計は典型的には、電源として化学電池（chemical  battery）を使用する。しかしながら、電子体温計は一般的に、患者が電子体温計を使用するのが具合の悪いとき又は不快なときのみであるため、長期間にわたって使用されないものである。故に、このような電源として化学電池を使用する電子体温計は、環境のことを考慮したものではない。
【先行技術文献】
【特許文献】
【０００４】
【特許文献１】米国特許出願番号第１２／８１９５８６号
【考案の概要】
【考案が解決しようとする課題】
【０００５】
本考案の考案者は、米国特許出願番号第１２／８１９５８６号（特許文献１）に記載されるこの問題を解決するために、電池及びスイッチボタンを有さない体温計を用いることを提案した。しかしながら、表示される華氏スケール又は摂氏スケール等である温度スケールの種類は、設計者によって事前に定められ得るか、あるいはユーザによって選択され得る。故に、温度スケールの種類の変換に対する機械的セレクタを有する体温計の新しい設計を提供する必要がある。
【課題を解決するための手段】
【０００６】
本考案の典型的な一実施例は、本体部材及び該本体部材に対して固定される先端部材を有する体温計を与えることによって、上述された問題を克服する。温度センサは、先端部材の内側において取り付けられ、温度を検知して温度信号を作り出すよう適合される。一式のリードワイヤは、温度信号を伝達するよう温度センサに対して結合される。ディスプレイユニットは本体部材において配置され、プロセッサは、温度信号を受信するために一式のリードワイヤを電気的に接続するよう配置され、対応する計測温度（temperature  reading）を表示するためにディスプレイユニットを駆動させる。後方カバーは、本体部材に対して固定される。機械的セレクタは、プロセッサと後方カバーとの間において配置され、ディスプレイユニットにおいて表示される温度スケールの種類は、機械的セレクタを後方カバーから押すことによって選択される。
【０００７】
本考案は、限定的ではなく単なる例としての実施例を用いて説明される。該実施例は添付の図面において示され、図中同様の参照符号は同様の要素を示す。
【図面の簡単な説明】
【０００８】
【図１】本考案の典型的な一実施例に従った電源スイッチを有さない体温計の概略図である。
【図２】本考案の典型的な一実施例に従ったモーション駆動（motion  powered）体温計の分解斜視図である。
【図３】本考案の典型的な一実施例に従ったモーション発電器（motion  electric  power  generator）の概略図である。
【図４】典型的な一実施例に従った温度スケールの種類の変換に対する機械的セレクタの側部断面図である。
【図５】典型的な一実施例に従った温度スケールの種類の変換に対する機械的セレクタの側部断面図である。
【考案を実施するための形態】
【０００９】
図１及び２を参照すると、体温計の一実施例が図示されている。当該体温計は、本体部材１０及び先端部材１１を有して作られる。典型的には、カバー６０は、体温計の構成要素が組み立てられたあとに本体部材１０に対して固定される。本体部材１０は、プローブ部１２及びディスプレイ部１５を有する。先端部材１１は、本体部材１０のプローブ部１２等である前方端部に対して固定される。望ましくは、先端部材１１は、中空のキャビティ（cavity）を取り囲む熱的接触表面を有する。一実施例では、中空の先端部材１１は、望ましくはステンレススチール等である優れた熱伝導性を有する金属を有して作られる。
【００１０】
温度センサ５１は、先端部材１１の端部において位置付けられ、熱的接触表面の内側において取り付けられる。温度センサは、熱的接触表面の温度を検知し、温度信号を作り出す。一式のリードワイヤ５２，５４があり、該リードワイヤは温度信号を伝達するよう温度センサ５１に対して結合される。
【００１１】
図２において示される通り、ディスプレイユニット２０は、ディスプレイ部１５において配置され、対応する計測温度を表示するために温度信号を受信するようリードワイヤ５２，５４に対して接続される。典型的には、ベースプレート（base  plate）３０は、ディスプレイユニット２０を支持するよう適合され得る。一例において、ディスプレイユニット２０は、基板２２、基板上に配置されるＬＣＤパネル等であるディスプレイ２３、及び、ディスプレイ２３に対して結合される、基板上に配置されるＩＣチップ等であるプロセッサ２４、を有し得る。プロセッサ２４は、温度信号を受信するようリードワイヤ５２，５４に対して電気的に接続され、対応する計測温度を示すようディスプレイ２３を駆動する。望ましくは、ベースプレート３０は、ディスプレイ２３を露出させるよう孔（opening）３３を備える。典型的にベースプレート３０はプラスチックであり、基板２２はプリント基板である。
【００１２】
一例において先端部材１１は、管状形状に作られ、ドーム型、半球形、又は半楕円形（hemiellipsoid）の端部において閉鎖される。接触表面は患者の肉体と接触するようにされるため、熱は患者の肉体から先端部材１１まで伝達され得る。一実施例において、温度センサ５１はサーミスタである。リードワイヤ５２，５４及びサーミスタ５１はいずれも、熱伝導接着剤を有して熱接触表面の内側に接着される。接着剤は、エポキシ樹脂等である優れた熱伝導性を有する絶縁材料である。更には、リードワイヤ５２，５４は一組の電気リードワイヤ（electrical  lead  wires）を有して作られる。該ワイヤは、表示する対応の温度を確定するよう温度センサ５１をプロセッサ２４に対して接続するよう使用される。
【００１３】
上方表面から延在する透明層４０は、ディスプレイ開口（aperture）１３の下方におけるディスプレイユニット２０を少なくとも覆う。望ましくは、透明層４０は、ベースプレート３０の上方表面全体を覆う。また一般的にはディスプレイ２３は、基板２２上及び透明層４０の下方に配置される。透明層４０は、透明なプラスチックシートであり得る。望ましくは、透明層は有機ガラス又はポリメチルメタクリラート（PMMA）を有して作られる。
【００１４】
図３を参照すると、モーション発電器（motion  electric  power  generator）８０は、一例ではディスプレイユニット２０に近接して、本体部材１０において配置される。モーション発電器８０は、本体部材において配置される管状シリンダ８２、及び管状シリンダ８２内において自由に摺動する磁気コア８４を有する。ワイヤコイル（coil  of  wire）８６は管状シリンダ８２の周囲に巻き付けられるため、磁気コア８４は、管状シリンダ８２を通って一端から他端まで摺動するときにワイヤコイル８６を通って動く。図２に示される通り、チップキャパシタ（chip  capacitor）等であるキャパシタ（capacitor）２６は、送電ワイヤ（electricity  transmission  wires）７０を通ってワイヤコイル８６に対して電気的に接続される。磁気コイル８４は、管状シリンダ８２を通って動くため、ワイヤコイル８６を通って流れる磁束を変え、キャパシタ電圧を高める。
【００１５】
更に、プロセッサ２４は、電力を得るようキャパシタ２６に対して電気的に接続され、温度信号を受信するよう一式のリードワイヤ５２，５４に対して電気的に接続され、対応する計測温度を表示するようディスプレイユニットを駆動させる。一例において、キャパシタ２６は、体温計を前後に連続的に動かすことによって電気的エネルギを蓄える。プロセッサ２４は、体温計が充電動作を行なっていることを示す開始信号（starting  signal）を表示するためにディスプレイ２３を駆動させるよう作動されるか、あるいはユーザに体温計が充電動作を行なっていることを知らせる音声を生成するために開始信号をスピーカ（図示せず）に対して伝達するよう作動される一方、キャパシタ電圧は、所定の開始電圧（start  voltage）と同等であるかそれより高い。続いてプロセッサ２４は、キャパシタ電圧の変化を検出する。短いモーションタイムの間、プロセッサ２４は、その体温測定動作を開始し、体温計が体温測定動作を行なっていることを示す動作信号を表示するようディスプレイ２３を駆動させるか、あるいは、体温計が体温測定動作を行なっていることをユーザに知らせるために音声を生成するようスピーカ（図示せず）に対して動作信号を伝達する一方、キャパシタ電圧は、少なくとも一周期又は二周期の体温測定動作を行なうよう十分である所定の動作電圧まで更に高められる。
【００１６】
このような体温計において、キャパシタは、要求に応じて使用するためのプロセッサ用のエネルギを蓄えるため、電源を保持するよう一時的な電池のように使用され得る。故に、環境汚染を容易に引き起す化学電池を使用する必要はない。
【００１７】
更に、ヘリカルスプリング８８は、磁気コア８４の運動を高めるよう管状シリンダ８２の一端又は両端において取り付けられ得る。
【００１８】
他の実施例において、体温計は電池を有さないため体温計の本体部の表面において電池カバー及び／又は電源スイッチを作る必要が無く、故にかかる構造は、図１中の防水密封機能を高め得る。
【００１９】
図４を参照すると、典型的な一実施例に従った温度スケールの種類の変換に対する機械的セレクタの断面図が示されている。この実施例において、プロセッサ２４はまた、温度スケールの種類の変換に対するピンＳＷを有し得る。機械的セレクタ６１は、後方カバー６０の表面において位置決めされるホール６２を有する。チャネルは、後方カバー６０内において配置され、ホール６２に連通される。弾性部材６６は、弾性主要部６６ｃ、前方突出部６６ａ、及び後方突出部６６ｂを有する。例えば、前方突出部６６ａは、弾性主要部６６ｃからチャネル６４に向かって延在され、第２の突出部６６ｂは、弾性主要部６６ｃからプロセッサ２４に向かって延在される。
【００２０】
接続線２４ａは、電圧を指示するためにピンＳＷを電気的に接続するよう配置される。ピンＳＷの電圧は、ホール６２及び後方カバー６０内における流路６４から前方突出部６６ａを押すことによって温度スケールの種類を変換するよう変更され得るため、後方突出部６６ｂは、接続線２４ａを切断するよう動かされる。一例において、ホールに挿入するための針の使用等である押す力（push  force）を前方突出部６６ｃが受けるとき、弾性主要部６６ｃの変形は発生する。加えられる押す力が除去されるとき、変形は、弾性主要部６６ｃから戻る力（復帰力、return  force）によって戻され得る（undone）。故に、弾性主要部６６ｃは本来の形状に復帰し、前方突出部６６ａは力の開放後にチャネル６４を密封するために戻るよう動かされる。弾性主要部６６ｃは、基板２２、プロセッサ２４、ベースプレート３０、又は後方カバー６０等である本体部材１０内におけるいずれかの位置６８に対して固定され得る。接続線２４ａはまた、電源電圧Ｖｃｃを電気的に接続するよう配置される一端を有し得る。
【００２１】
図５は、温度スケールの種類の変換に対する機械的セレクタの一実施例の側部断面図である。この例では、接続線２４ａはまた、ワイヤ２４ｂを通って電源電圧Ｖｃｃ等である所定の電圧及びピンＳＷを電気的に接続するよう、基板２２に対して固定され得る。基板２２はまた、後方突出部６６ｂを容易に動かすよう凹部を有し得る。
【００２２】
本考案は、例として、また望ましい実施例に関して説明されてきたが、本考案が開示された実施例に限定されないことは理解されるべきである。反対に、本考案は、（当業者には明らかである通り）多種の修正及び類似する配置を対象とするよう意図される。したがって、添付の請求項の範囲は、かかる修正及び類似の配置を包含するよう最大限に広い解釈を与えられるべきである。
【符号の説明】
【００２３】
１０  本体部材
１１  先端部材
１２  プローブ部
１３  開口
１５  ディスプレイ部
２０  ディスプレイユニット
２２  基板
２３  ディスプレイ
２４  プロセッサ
２４ａ  接続線
２６  キャパシタ
３０  ベースプレート
３３  孔
４０  透明層
５１  温度センサ
５２  リードワイヤ
５４  リードワイヤ
６０  カバー
６１  機械的セレクタ
６２  ホール
６４  チャネル
６６  弾性部材
６６ａ  前方突出部
６６ｂ  後方突出部
６６ｃ  弾性主要部
６８  位置
７０  送電ワイヤ
８０  モーション発電器
８２  管状シリンダ
８４  磁気コア
８６  ワイヤコイル
８８  ヘリカルコイル
ＳＷ  ピン
Ｖｃｃ  電源電圧
【図１】
0003167979.tif 000003
【図２】
0003167979.tif 000004
【図３】
0003167979.tif 000005
【図４】
0003167979.tif 000006
【図５】
0003167979.tif 000007